(57)【要約】      （修正有）【課題】換気と防犯を両立しながら、窓を自動的に開閉できる防犯換気窓システムを提供すること。【解決手段】在宅モード設定手段７ｂは、把手１０の手動による揺動操作により、窓２及び／又は網戸９の内側からの手動操作が可能な下で、少なくとも、換気モード、降雨モード、侵入検知モードを実行可能に構成され、手動操作モード設定手段７ｃは、駆動手段８又は自動施錠手段３による窓２、網戸９の移動又は施錠を禁止ないし解除して、手動による窓２、網戸９の移動を許可するよう構成され、さらに、少なくとも、換気モード、降雨モード、侵入検知モードを実行可能に構成され、緊急モード設定手段７ｄは、駆動手段８に窓２、網戸９を全開方向に移動させ、自動施錠手段３による窓２、網戸９の自動施錠状態及び制止手段５による制止を解除するよう構成されている。【選択図】  図１
2006097245.tif 000002
【特許請求の範囲】
【請求項１】
窓及び／又は網戸と、
前記窓及び／又は網戸を自動的に駆動する駆動手段と、
前記窓及び／又は網戸の移動を自動的に制止する制止手段と、
人ないし物体が屋外から前記窓ないし前記網戸に接近したことを検知して、異常検知信号を出力する接近センサと、
前記駆動手段及び前記制止手段の作動を制御し、少なくとも前記異常検知信号に基づいて前記駆動手段に前記窓及び／又は網戸を駆動させて該窓及び／又は網戸を全閉位置へ移動させる制御手段と、
前記制御手段に接続され各種モードの設定を指令するモード切替スイッチと、を有し、
前記制御手段は、前記モード切替スイッチの指令に応じてオン状態にされる、留守モード設定手段と、在宅モード設定手段と、手動操作モード設定手段と、を備え、
前記留守モード設定手段は、少なくとも、前記接近センサによる異常検知下で、換気のため、前記制御手段が前記駆動手段による前記窓及び／又は網戸の自動的な開閉を許可するよう構成される換気モード、及び、前記接近センサが異常を検知をした際には、前記制御手段が前記駆動手段を介して前記窓及び／又は網戸を全閉位置に向かって移動させるよう構成される侵入検知モードを実行可能に構成され、
前記在宅モード設定手段は、前記窓及び／又は網戸の内側からの手動操作が可能な下で、少なくとも、前記換気モード及び前記侵入検知モードとを実行可能に構成され、
前記手動操作モード設定手段は、前記制止手段による前記窓及び／又は網戸の制止を解除して、手動操作による該窓及び／又は網戸の移動を許可するよう構成される、ことを特徴とする防犯換気システム。
【請求項２】
前記窓及び／又は網戸を全閉位置で自動的にロックする一又は複数の自動施錠手段を有することを特徴とする請求項１記載の防犯換気システム。
【請求項３】
手動操作され、前記窓及び／又は網戸の移動を選択的に可能とする手動操作手段を有することを特徴とする請求項１記載の防犯換気システム。
【請求項４】
さらに、雨滴センサ、内外気温差を検知する温度センサ、湿度センサ、換気流速度センサ及び空気中の粒子を検知するパーティクルセンサの一種以上を含む環境センサを有し、
前記制御手段は、前記環境センサが検出する環境条件に基づいて、換気のため、前記駆動手段に前記窓及び／又は網戸の自動的な開閉をさせることを特徴とする請求項１記載の防犯換気システム。
【請求項５】
前記留守モード設定手段、前記在宅モード設定手段と、前記手動操作モード設定手段は、さらに、降雨モードを実行可能に構成され、
前記降雨モードは、前記換気モード実行中、前記雨滴センサが雨滴を検知した際、前記制御手段が前記駆動手段を介して前記窓及び／又は網戸の閉動作を行うよう構成される、ことを特徴とする請求項４記載の防犯換気システム。
【請求項６】
さらに、前記窓及び／又は網戸の前記制御手段の指令による自動開閉時、該窓及び／又は網戸が人ないし物体を挟み込んだことを検知する挟み込み検知センサを有し、
前記制御手段は、前記挟み込みセンサが挟み込み検知をした際、前記窓ないし戸の開閉を停止又は反転作動させることを特徴とする請求項１記載の防犯換気システム。
【請求項７】
前記網戸が前記窓の屋外側に設置され、前記網戸が損壊されたことを検知する網戸破壊センサを有し、前記制御手段は、前記網戸破壊センサの検知に基づいて、前記駆動手段に前記窓及び／又は網戸を駆動させて該窓及び／又は網戸を全閉位置へ移動させることを特徴とする請求項１記載の防犯換気システム。
【請求項８】
さらに、前記駆動手段に前記窓及び／又は網戸を全開方向に移動させ、少なくとも前記制止手段に前記窓及び／又は網戸の制止を解除させる緊急モード設定手段を有することを特徴とする請求項１記載の防犯換気システム。
【発明の詳細な説明】
【技術分野】
【０００１】
本発明は、防犯機能と換気機能を備えた防犯換気窓システムに関し、特に、住宅開口部に適用される防犯換気窓システムに関する。
【背景技術】
【０００２】
特許文献１には、ルーパー窓が開示されている。
【０００３】
特許文献２又は３には、窓又は戸を遠隔操作により開閉する装置が開示されている。
【０００４】
【特許文献１】特開２００４―６０９４９号公報
【特許文献２】特開２００３―７４２４７号公報
【特許文献３】特開平１０−１２１５９１号公報
【発明の開示】
【発明が解決しようとする課題】
【０００５】
特許文献１に開示されたルーパー窓は、換気機能を有するが、通常、人の出入りができないため、適用箇所が限定されるという問題がある。
【０００６】
特許文献２又は３に開示された装置は、窓又は戸の開閉を遠隔操作することは可能であるが、防犯機能を有していないため、窓や戸を開けて換気を行っている最中に、不審者が侵入するおそれがあり、防犯上不安を生じる。
【０００７】
本発明の目的は、換気と防犯を両立しながら、窓を自動的に開閉できる防犯換気窓システムを提供することである。
【課題を解決するための手段】
【０００８】
本発明は、第１の視点において、窓及び／又は網戸と、前記窓及び／又は網戸を自動的に駆動する駆動手段と、前記窓及び／又は網戸の移動を自動的に制止する制止手段と、人ないし物体が屋外から前記窓ないし前記網戸に接近したことを検知して、異常検知信号を出力する接近センサと、前記駆動手段及び前記制止手段の作動を制御し、少なくとも前記異常検知信号に基づいて前記駆動手段に前記窓及び／又は網戸を駆動させて該窓及び／又は網戸を全閉位置へ移動させる制御手段と、前記制御手段に接続され各種モードの設定を指令するモード切替スイッチと、を有し、前記制御手段は、前記モード切替スイッチの指令に応じてオン状態にされる、留守モード設定手段と、在宅モード設定手段と、手動操作モード設定手段と、を備え、前記留守モード設定手段は、少なくとも、前記接近センサによる異常検知下で、換気のため、前記制御手段が前記駆動手段による前記窓及び／又は網戸の自動的な開閉を許可するよう構成される換気モード、及び、前記接近センサが異常を検知した際には、前記制御手段が前記駆動手段を介して前記窓及び／又は網戸を全閉位置に向かって移動させるよう構成される侵入検知モードを実行可能に構成され、前記在宅モード設定手段は、前記窓及び／又は網戸の内側からの手動操作が可能な下で、少なくとも、前記換気モード及び前記侵入検知モードとを実行可能に構成され、前記手動操作モード設定手段は、前記制止手段による前記窓及び／又は網戸の制止を解除して、手動操作による該窓及び／又は網戸の移動を許可するよう構成される、ことを特徴とする防犯換気システムを提供する。
【発明の効果】
【０００９】
本発明の防犯換気システムによれば、ユーザの指令に従い各種モードを設定することができ、換気が許可されるモードにおいても防犯機能が作動可能であるため、周囲の環境に応じて安全に自動換気を実現することができる。
【発明を実施するための最良の形態】
【００１０】
本発明の好ましい実施の形態に係る防犯換気システムは、前記窓及び／又は網戸を全閉位置で自動的にロックする一又は複数の自動施錠手段を有する。
【００１１】
本発明の好ましい実施の形態に係る防犯換気システムは、手動操作され、前記窓及び／又は網戸の移動を選択的に可能とする把手等の手動操作手段を有する。把手は、前記自動施錠手段のロックを手動により解除可能に構成してもよく、別途、窓、網戸を手動により解除可能にロックする手動施錠手段を設けてもよい。
【００１２】
本発明の好ましい実施の形態に係る防犯換気システムは、さらに、雨滴センサ、内外気温差を検知する温度センサ、湿度センサ、換気流速度センサ及び空気中の粒子を検知するパーティクルセンサの一種以上を含む環境センサを有し、前記制御手段は、前記環境センサが検出する環境条件に基づいて、換気のため、前記駆動手段に前記窓及び／又は網戸の自動的な開閉をさせる。
【００１３】
本発明の好ましい実施の形態に係る防犯換気システムは、前記留守モード設定手段、前記在宅モード設定手段と、前記手動操作モード設定手段は、さらに、降雨モードを実行可能に構成され、前記降雨モードは、前記換気モード実行中、前記雨滴センサが雨滴を検知した際、前記制御手段が前記駆動手段を介して前記窓及び／又は網戸の閉動作を行うよう構成される。
【００１４】
本発明の好ましい実施の形態に係る防犯換気システムは、さらに、前記窓及び／又は網戸の前記制御手段の指令による自動開閉時、該窓及び／又は網戸が人ないし物体を挟み込んだことを検知する挟み込み検知センサを有し、前記制御手段は、前記挟み込みセンサが挟み込み検知をした際、前記窓ないし戸の開閉を停止又は反転作動させる。
【００１５】
本発明の好ましい実施の形態に係る防犯換気システムは、前記網戸が前記窓の屋外側に設置され、前記網戸が損壊されたことを検知する網戸破壊センサを有し、前記制御手段は、前記網戸破壊センサの検知に基づいて、前記駆動手段に前記窓及び／又は網戸を駆動させて該窓及び／又は網戸を全閉位置へ移動させる。
【００１６】
本発明の好ましい実施の形態に係る防犯換気システムは、さらに、前記駆動手段に前記窓及び／又は網戸を全開方向に移動させ、少なくとも前記制止手段に前記窓及び／又は網戸の制止を解除させる緊急モード設定手段を有する。防犯換気システムが自動施錠手段を有する場合には、前記緊急モード設定手段は、モード切替スイッチからの緊急モードへの切り替え指令を受信した際、さらに、自動施錠手段に前記窓及び／又は網戸の自動施錠も解除させる。
【００１７】
本発明の好ましい実施の形態に係る防犯換気システムにおいて、前記制止手段は、前記窓及び／又は網戸を任意又は所定位置で自動的に制止する。好ましくは、前記緊急モード設定手段は、前記駆動手段に前記窓及び／又は網戸を全開方向に移動させ、前記制止手段による前記窓及び／又は網戸の制止状態を解除するよう構成される。
【００１８】
本発明の好ましい実施の形態に係る防犯換気システムは、自動施錠手段、制止手段の単独又は両方に電磁クラッチを用いる。
【００１９】
本発明の好ましい実施の形態に係る防犯換気システムにおいては、窓（戸）の外側に網戸があり、その網戸は刃物による損傷を受けにくい素材、例えば、鋼材で形成され、内側の窓への攻撃に対し時間的引延しがなされる。
【００２０】
本発明の好ましい実施の形態に係る防犯換気システムは、窓ないし戸の自動開閉時に、挟み込みを検知する手段を備え（特開２００２−２６６５７６号公報等参照）、不意の攻撃や操作ミスに対し怪我を防止する機能をもつ。
【００２１】
本発明の好ましい実施の形態に係る防犯換気システムは、本人認識装置等を保持している人間が窓の外かあるいは内かのそれぞれの任意の範囲に存在するかどうかによって窓や網戸を自動開閉、自動施開錠を制御することができる機能をもつ。
【００２２】
本発明の好ましい実施の形態に係る防犯換気システムは、操作や情況確認を公知の通信手段等により遠隔操作や通報可能な通信機能をもつ。
【００２３】
本発明の好ましい実施の形態に係る防犯換気システムは、緊急時の電動開閉及びロックの自動開錠が手動又は遠隔操作で行える非常脱出可能な機構をもつ。
【００２４】
本発明の好ましい実施の形態に係る防犯換気システムは、特開２００３−３１４１７１号公報、特開２００２−２６６５７６号公報、特開２０００−１７９２３１号公報、特開平１１−３０３５０７に開示されているような、自動施錠装置、障子ないしその類似体の駆動手段、自動施錠解除手段を用いることができる。
【実施例１】
【００２５】
図１は、本発明の一実施例に係る防犯換気システムを説明するためのブロック図である。
【００２６】
図１を参照すると、本発明の一実施例に係る防犯換気システムは、住宅等の開口部に設置された窓２と、窓２の外側に設置された刃物などで破壊できにくい素材の網戸９と、窓２、網戸９を自動的に駆動する駆動手段（開閉動作用アクチュエータ）８と、窓２、網戸９を任意又は所定位置で自動的に制止する制止手段（例えば、電磁クラッチ）５と、人ないし物体が屋外から窓２、網戸９に接近したことを検知して、異常検知信号４ａを出力する接近センサ４と、駆動手段８及び制止手段５の作動を制御し、特に、異常検知信号４ａに基づいて、駆動手段８に窓２、網戸９を駆動させて全閉位置へ移動させる制御手段（コントローラ）７と、制御手段（コントローラ）７に接続され各種モードの設定を指令するモード切替スイッチ４１と、を有している。
【００２７】
さらに、防犯換気システムは、窓２及び／又は網戸９の内側からの手動操作を選択的に可能とする把手１０と、制御手段７によって作動制御され、窓２、網戸９を全閉位置で自動的にロックする一又は複数の自動施錠手段３と、を有している。
【００２８】
なお、駆動手段８、自動施錠手段３、制止手段５及び把手１０はそれぞれ、窓２と網戸９用に共通化してもよく、別途ずつ設けてもよい。
【００２９】
制御手段７は、操作パネル６上に設けられたモード切替スイッチ４１（或いは同様の機能を有するリモコン４３）の指令に応じて選択的にオン状態にされる、留守モード設定手段７ａと、在宅モード設定手段７ｂと、手動操作モード設定手段７ｃと、緊急モード設定手段７ｄと、を備えている。
【００３０】
各モード設定手段７ａ〜７ｄは、制御手段７が有するマイクロコンピュータが実行するプログラムの形態で提供することができる。さらに、各モード設定手段７ａ〜７ｄで実行される、後述の子モード、例えば、換気モード、降雨モード、侵入検知モードも同様に制御手段７で実行されるプログラムの形態で構成され、該プログラムの実行により、制御手段７を介して、駆動手段８及び制止手段５が制御される。
【００３１】
留守モード設定手段７ａは、少なくとも、後述する換気モード、降雨モード、侵入検知モードを実行可能に構成されている。
【００３２】
在宅モード設定手段７ｂは、把手１０の手動による揺動操作により、窓２及び／又は網戸９の内側からの手動操作可能な状態で、少なくとも、後述する換気モード、降雨モード、侵入検知モードを実行可能に構成されている。
【００３３】
手動操作モード設定手段７ｃは、駆動手段８又は自動施錠手段３による窓２、網戸９の移動又は施錠を禁止ないし解除して、手動による窓２、網戸９の移動を許可するよう構成され、さらに、少なくとも、後述する換気モード、降雨モード、侵入検知モードを実行可能に構成されている。
【００３４】
緊急モード設定手段７ｄは、駆動手段８に窓２、網戸９を全開方向に移動させ、自動施錠手段３による窓２、網戸９の自動施錠状態及び制止手段５による制止を解除するよう構成されている。
【００３５】
前記侵入検知モードは、接近センサ４が異常を検知した際には、駆動手段８及び自動施錠手段３を介して窓２、網戸９を全閉位置に向かって移動させ、かつ、接近センサ４による異常検知下で、換気のため、駆動手段８による窓２、網戸９の自動的な開閉を許可するよう構成されている。
【００３６】
前記換気モードは、接近センサ４による異常検知下で、すなわち、前記侵入モードの実行中、換気のため、制御手段７が駆動手段８による窓２、網戸９の自動的な開閉を許可するよう構成されている。
【００３７】
さらに、防犯換気システムは、窓２、網戸９の状態を検知するセンサとして、窓２、網戸９による人ないし物体の挟み込みを検知する挟み込み検知センサ３０と、窓２、網戸９が全閉或いは全開であるかどうかを検知する窓，網戸開閉スイッチ３２ａ，３２ｂと、網戸９の破壊を検知する網戸破壊センサ３３と、窓２、網戸９の位置を検出する窓，網戸位置センサ３４ａ，３４ｂと、を有し、環境センサ３１としては、雨滴センサ、内外気温差を検知する温度センサ、湿度センサ、換気流速度センサ及び空気中の粒子を検知するパーティクルセンサの一種以上を有している。
【００３８】
さらに、防犯換気システムは、接近センサ４による異常検知をユーザに報知するための、表示ないし警報を行うための報知手段４０と、異常検知を記録し事後にユーザに報知するための記憶手段７ｇを有している。
【００３９】
制御手段７は、各種センサないしスイッチからの信号を受信する受信手段７ｅと、自動施錠手段３、駆動手段８、制止手段５、報知手段４０に信号を送信するための送信手段７ｆと、を有している。
【００４０】
また好ましくは、制御手段７は、本人認識をする識別手段７ｈを有し、識別手段７ｈは居住者室内外であるかを判別し、例えば、接近センサ４が当該居住者を検知した場合であっても、窓２は閉じられないようすることができる。なお、居住者識別には、本人確認信号を発信する公知の無線タグを利用したり、リモコン４３に内蔵された発信機を利用したり、画像認識による本人識別技術を利用することができる。
【００４１】
以上説明した防犯換気システムの基本的な動作を説明する。
【００４２】
図２は、図１に示した防犯換気システムの基本的な動作を説明するためのフローチャートである。
【００４３】
図１及び図２を参照すると、防犯換気システムにおいて、制御手段７は、モードが変更されない場合は現モードの処理を継続し、モード切替スイッチ４１がユーザ等の操作によりモード変更された場合（ステップ１）は、ステップ２において自己診断を行った後、駆動手段８に窓２を閉めさせ、窓２の全閉を窓開閉スイッチ３２ａにより確認して、全閉されない場合には報知手段４０にシステム異常を報知させる（ステップ２３）。
【００４４】
窓２が全閉されている場合には、ステップ５〜６において、制御手段７は、制止手段５を介して窓２の手動操作を禁止し、場合によっては更に自動施錠手段３に自動施錠を実行させ、ステップ７〜８において、駆動手段８に網戸９を全閉位置へ移動させ、網戸９の全閉を網戸開閉スイッチ３２ｂにより確認して、網戸９が全閉されない場合には報知手段４０にシステム異常を報知させる（ステップ２３）。
【００４５】
網戸９が全閉されている場合には、ステップ８において、制御手段７は、制止手段５を介して網戸９の手動操作を禁止し、場合によっては更に自動施錠手段３に自動施錠を実行させる。
【００４６】
次に、ステップ９において、制御手段７は、各センサを診断し、異常がある場合には報知手段４０にシステム異常を報知させ（ステップ２３）、正常である場合には、窓２、網戸９の駆動手段８を開動作させて、窓２、網戸９の制止手段、場合によっては、自動施錠手段３によるロックを確認し、確認できない場合には報知手段４０にシステム異常を報知させ（ステップ２３）、確認された場合はモード変更に移行する。
【００４７】
制御手段７は、ステップ１２，１７において、留守モード、在宅モード、或いはそれ以外のモード、手動操作モード又は緊急設定モードであるかを判定する。
【００４８】
留守モードである場合には、制御手段７は、ステップ１３で一旦、窓２、網戸９を開閉不可としてから、ステップ１４〜１６において、温度・湿度センサのような環境センサ３１の室内外の環境検知結果を判定し、ステップ２０〜２２において、駆動手段８を介して窓２を開閉制御する（子モードである換気モード、降雨モード、侵入検知モードの実行）。
【００４９】
在宅モードである場合には、ステップ１８において、手動により、例えば、前記把手１０の手動操作により、窓２及び／又は網戸９の内側からの手動操作が可能とされた後、ステップ１４〜１６において、温度・湿度センサのような環境センサ３１の室内外の環境検知結果を判定し、ステップ２０〜２２において、駆動手段８を介して窓２を開閉制御する（子モードである換気モード、降雨モード、侵入検知モードの実行）。
【００５０】
手動操作モードである場合には、制御手段７は、ステップ１９で、制止手段５による窓２、網戸９の制止、場合によっては自動施錠手段３による窓２及び網戸９の自動ロックを解除する。
【００５１】
なお、緊急設定モードは、割り込み的に作動するため図２のフローチャートには図示していないが、例えば、制御手段７に所定の信号が入力されることにより優先的に作動し、制止手段５による窓２、網戸９の制止、自動施錠手段３による窓２、網戸９の自動施錠が全て解除され、窓２、網戸９が全開され、家人の外部への脱出を助ける。
【００５２】
以上説明した防犯換気システムは、窓２ないし網戸９の動作方法を上位概念モード３種類（在宅モード、マニュアルモード、留守モード）で基本的に規定し、留守モード、在宅モード選択時には窓２を閉めることにより異物挟み込み、故障、センサの動作チェックなどの自己診断を行うことができる。
【００５３】
次に、この防犯換気システムの各モードにおける動作を詳細に説明する。前記３種の上位概念モードにおいて、防犯監視モニタである接近センサ４は屋内・屋外の人体検知を行い、上位概念モードにおいてすべて常時稼動している。上位概念モードの違いにより、接近センサ４による信号によって挟み込み検知、窓開閉などの動作を制御する。
【００５４】
＜留守モード、留守モード設定手段７ａオン時＞
（ア）定義  家人が留守にする意思を確認するため、モード切替スイッチ４１等の操作によって起動する。
【００５５】
（イ）動作
（１）基本動作
１．初期動作によりシステム・センサ自己診断
２．各種センサ信号により以下の動作モードに移行
（ア）換気モード移行
（イ）降雨モード
（ウ）侵入検知モード
（エ）接近センサ４等の防犯監視モニタを起動し常時監視
【００５６】
（２）初期動作
１．網戸９、窓２を閉動作し、確実に閉状態位置にあることを確認
（事前に障害物の有り無しを確認する）
＊  製品によっては網戸９に電磁ロック（制止手段５、自動施錠手段３）あり、ＡＣＴ（駆動手段８）なしの機種を設定
２．閉状態にＡＣＴ（駆動手段８）動作の後、電磁ロック動作
３．各センサの動作チェック
４．ＡＣＴ（駆動手段８）開動作と窓２、網戸９の位置センサ３４ａ，３４ｂによる施錠チェックを実施
【００５７】
（３）換気モード
１．温度湿度センサ、パーティクルカウンター等の環境センサの信号に基づき以下の動作実施
２．網戸９の電磁ロック確認
３．窓２の電磁ロック(開口部)
４．内外の気温・湿度の設定値により換気のため、窓２のみ開動作する。
５．ただし、防犯上の観点から開口部２００ｍｍ以下とする。
【００５８】
（４）降雨モード
１．換気モードにおいて窓２に開口部がある場合において雨滴センサにより降雨が確認された場合、窓の閉動作を行う。
２．雨滴センサが降雨なしと判定した場合、換気モードに移行する。
【００５９】
（５）侵入検知モード
１．人体検知センサ（接近センサ４）が屋外から接近する物体を検知した場合、窓２を開動作する。
２．網戸破壊センサ３３が網戸９に対する攻撃（開動作、破壊など）を検知すると警報を出し、ユーザに告知する。
３．閉動作中に窓２に負荷が発生した場合（挟み込み検知センサ３０による検知）、閉鎖できるところまで閉鎖し、その地点で窓の開口部を制止手段５によって固定する。
【００６０】
＜在宅モード、在宅モード設定手段７ｂオン時＞
（ウ）定義  家人の在宅の意思を確認するため、モード切替スイッチ４１等の操作によって起動する。
【００６１】
（エ）動作
（１）基本動作
１．初期動作によりシステム・センサ自己診断
２．各種センサ信号により以下の動作モードに移行
（ア）換気モード移行
（イ）降雨モード
（ウ）侵入検知モード
（エ）接近センサ４等の防犯監視モニタを起動し常時監視
３．内側の窓開閉ＳＷ（図３の把手１０、図２のステップ１８参照）により内側からのみ開閉作業が可能になる。
【００６２】
（２）初期動作
留守モードの初期動作に同じ。
【００６３】
（３）換気モード
留守モードの換気モードに同じ。
【００６４】
（４）降雨モード
留守モードの降雨モードに同じ。
【００６５】
（５）侵入検知モード
留守モードの侵入検知モードに同じ。
【００６６】
＜手動操作（マニュアル）モード、手動操作モード設定手段７ｃオン時＞
（オ）定義  家人が手動により窓の開閉を自由にできるような状態をモード切替スイッチ４１等の操作によって起動する。
【００６７】
（力）動作
（１）基本動作
１．制止手段５（電磁クラッチ）をオフにし手動操作で窓の開閉ができるようにする。
２．最後の手動動作から何もＳＷ操作がなくユーザーが任意設定できる時間経過したときによりシステム・センサ自己診断を実施し在宅モードの換気動作に移行する。
３．各種センサ信号により以下の動作モードに移行
（ア）換気モード移行
（イ）降雨モード
（ウ）侵入検知モード
（エ）接近センサ４等の防犯監視モニタを起動し常時監視
４．内側の窓開閉ＳＷ（図３の把手１０、図２のステップ１８参照）により内側からのみ開閉作業が可能になる。
【００６８】
（２）自己診断動作
１．網戸９、窓２を閉動作し、網戸開閉スイッチ３２ｂにより確実に閉状態位置にあることを確認
（事前に障害物の有り無しを確認する）
＊製品によっては網戸に電磁ロック（制止手段５、自動施錠手段３）あり、ＡＣＴ（駆動手段８）なしの機種を設定
２．閉状態にＡＣＴ動作の後、電磁ロック動作
３．各センサの動作チェック
４．ＡＣＴ（駆動手段８）開動作と窓２、網戸９の位置センサ３４ａ，３４ｂによる施錠チェックを実施
【００６９】
（３）換気モード
留守モードの換気モードに同じ。
【００７０】
（４）降雨モード
留守モードの降雨モードに同じ。
【００７１】
（５）侵入検知モード
留守モードの侵入検知モードに同じ。
【００７２】
＜緊急モード、緊急モード設定手段７ｄオン時＞
（キ）定義  家人が緊急の意思をモード切替スイッチ４１等の操作によって起動する。
【００７３】
（ク）動作
（１）操作方法
（２）緊急ＳＷを押す
（３）リモコンキー（リモコン４３）により緊急ＳＷ動作を行う（例えば、２つのボタンを同時に長押し）
（４）基本動作
１．窓２が全開放状態に移行
２．制止手段５（電磁クラッチ）オフ
３．自動施錠手段３（電磁ロック）オフ
【００７４】
次に、以上説明した本発明の一実施例に係る防犯換気システムが好適に適用される住宅の開口部と、本発明の一実施例に係る防犯換気システムに好適に適用される駆動手段、制止手段、及び自動施錠手段の一例を説明する。なお、以下の説明及び図示においては、窓２にのみ駆動手段８、制止手段５、及び自動施錠手段３が適用されているが、これらの手段は、網戸９にも窓と同様に適用可能なものである。
【００７５】
図３は、本発明の一実施例に係る防犯換気システムが好適に適用される住宅の開口部を説明するための模式図である。
【００７６】
図３を参照すると、本発明の一実施例に係る窓ないし戸の開閉装置は、窓（引き戸）２が自動で開閉する構造を有する装置であって、住宅開口部に形成されたサッシ枠１に嵌装され、開口部を開放可能に遮蔽する可動な窓２と、窓２の屋外側に設置された網戸９と、窓２を自動的にロックする自動施錠手段（自動施錠機構）３と、窓２を自動的に駆動する駆動手段８と、室内に設置され、人ないし物体が屋外から住宅開口部に接近したことを検知して、異常検知信号４ａを出力する接近センサ４と、異常検知信号４ａに基づいて、駆動手段８に窓２を駆動させて住宅開口部を閉じる制御手段７と、を有している。この報知手段４０は、具体的には、図３に示されるように、室外側に設置され、不審者への威嚇を行うと共に家人並びに近隣の人に不審者の到来を知らせる。
【００７７】
図４は、図３に示した駆動手段、制止手段、及び自動施錠手段の構造例を説明するための図である。図５は、図４に示した駆動手段の駆動力を窓に解除可能に伝達するための構成例を説明するための図である。
【００７８】
図４を参照すると、駆動手段８は、モータ８ａと、モータ８ａの回転力を減速する、互いに噛合されたウォームギヤ８ｂ及びヘリカルギヤ８ｃと、ヘリカルギヤ８ｃと一体回転するメートル台形ネジ８ｄと、を含んで構成される。メートル台形ネジ８ｄには、電気式クラッチ８ｆが接続され、メートル台形ネジ８ｄの正逆転を防止することができる。
【００７９】
電気式クラッチ８ｆが、図１に示した制止手段５となる。
【００８０】
特に、図５を参照すると、メートル台形ネジ８ｄと、窓２の桟部との間には、両者を解除可能に連結する連結手段２０が接続されている。連結手段２０は、メートル台形ネジ８ｄと噛合するメートル台形ネジ接続部２０ａと、窓２に接続する窓接続部２０ｂと、メートル台形ネジ接続部２０ａと窓接続部２０ｂとを連結するためのプランジャ２０ｃと、プランジャ２０ｃをメートル台形ネジ接続部２０ａと窓接続部２０ｂとが連結させる方向に付勢するばね２０ｄと、プランジャ２０ｃに作用してメートル台形ネジ接続部２０ａと窓接続部２０ｂとの連結を解除するピン２０ｅと、一端がピン２０ｅに接続された解除ケーブル２０ｆと、解除ケーブル２０ｆの他端に接続された回動操作によって解除ケーブル２０ｆを引いてピン２０ｅを連結解除位置に移動させる解除レバー２０ｇと、を有している。
【００８１】
自動施錠手段３は、開口部のサッシ枠１上に設けられた部材と、窓２の桟部に内蔵される機構と、から構成されている。すなわち、自動施錠手段３は、サッシ枠１上に形成されたストライカー１ａと、窓２に枢支されたカマ錠１１と、カマ錠１１に連結されたプランジャ１３ａを制御手段（コントローラ）７からの指令に基づいて駆動することにより、カマ錠１１を開錠位置と開放位置との間で枢動するソレノイド１３と、を有する。
【００８２】
カマ錠１１には、さらに、手動でカマ錠１１を揺動させるための、ワイヤ１２が連結され、ワイヤ１２を手動で引っ張ることにより、強制的に自動施錠手段３の開錠が可能である。
【００８３】
駆動手段８による窓２の開閉動作を説明する。制御手段７からの指令に基づき、換気時、或いは接近センサ４の異常検知信号に基づいて、モータ８ａが駆動され、ウォームアンドホイール機構を介して、減速された回転力がメートル台形ネジ８ｄに伝達され、メートル台形ネジ８ｄが回転すると、連結手段２０が窓２と共に左右にスライドして、窓２が開閉される。なお、解除レバー２０ｇを手動で回動することにより、駆動手段８と窓２との間の連結が解除され、窓２を手動で開くことができ、開口部を通じて緊急脱出が可能となる。
【００８４】
自動施錠手段３による窓２の自動ロック動作を説明する。窓２が閉じられる際、カマ錠１１は、揺動しながら揺動ストライカー１ａを乗り越えて、全閉状態で窓２が開かないよう係合している。制御手段７からの施錠指令を受信すると、ソレノイド１３は、プランジャ１３ａを突出させ、カマ錠１１のロック解除方向の揺動を制止することにより、窓２が自動ロックされる。自動ロックを自動解除する場合は、制御手段７からの指令に基づいて、ソレノイド１３がプランジャ１３ａを吸引してカマ錠１１を解除方向に揺動させる。また、自動ロックは、ワイヤ１２を手動で引張り、カマ錠１１を強制的に解除方向に揺動させることにより、手動で解除することができる。
【産業上の利用可能性】
【００８５】
本発明は、窓、網戸、又は窓及び網戸を備えた住宅の開口部に好適に適用される。
【図面の簡単な説明】
【００８６】
【図１】本発明の一実施例に係る防犯換気システムのブロック図である。
【図２】図１に示した防犯換気システムの基本的な動作を説明するためのフローチャートである。
【図３】本発明の一実施例に係る防犯換気システムが好適に適用される住宅の開口部を説明するための模式図である。
【図４】図３に示した駆動手段、制止手段、及び自動施錠手段の構成例を説明するための図である。
【図５】図４に示した駆動手段の駆動力を窓に解除可能に伝達するための構成例を説明するための図である。
【符号の説明】
【００８７】
１  サッシ枠
１ａ  ストライカー（凸部）
２  窓（引き戸）
３  自動施錠手段（自動施錠機構）
４  接近センサ
４ａ  異常検知信号
５  電磁クラッチ（制止手段）
６  操作パネル
７  制御手段（コントローラ）
７ａ  留守モード設定手段
７ｂ  在宅モード設定手段
７ｃ  手動操作（マニュアル）モード設定手段
７ｄ  緊急モード設定手段
７ｅ  受信手段
７ｆ  送信手段
７ｇ  記憶手段
７ｈ  識別手段
８  駆動手段
８ａ  モータ
８ｂ  ウォームギヤ
８ｃ  ヘリカルギヤ
８ｄ  メートル台形ネジ
８ｆ  電気式クラッチ
９  網戸
１０  把手（手動操作手段）
１１  カマ錠
１２  ワイヤ
１３  ソレノイド
１３ａ  プランジャ
２０  連結手段
２０ａ  メートル台形ネジ接続部
２０ｂ  窓接続部
２０ｃ  プランジャ
２０ｄ  ばね
２０ｅ  ピン
２０ｆ  解除ケーブル
２０ｇ  解除レバー
３０  挟み込み検知センサ
３１  環境センサ
３２ａ  窓開閉スイッチ
３２ｂ  網戸開閉スイッチ
３３  網戸破壊センサ
３４ａ  窓位置センサ
３４ｂ  網戸位置センサ
４０  報知手段
４１  モード切替スイッチ
４３  リモコン
【図１】
2006097245.tif 000003
【図２】
2006097245.tif 000004
【図３】
2006097245.tif 000005
【図４】
2006097245.tif 000006
【図５】
2006097245.tif 000007